(57)【要約】【課題】ガス流通時の逆止部材の振動を抑制し、音鳴りの発生を低減する。【解決手段】第１通路（１３）と逆止弁室（２９）と第２通路（１４）とを順に形成し、逆止弁室（２９）に逆止部材（３１）を、逆止弁座（３０）に対し進退自在に挿入する。逆止部材（３１）を付勢手段（３４）で閉弁方向へ付勢する。開弁方向へ移動した上記の逆止部材（３１）を受止める受止め部（３６）を設ける。逆止部材（３１）を挟んで逆止弁座（３０）とは反対側に差圧室（３５）を形成する。差圧室（３５）の周壁（３３）に連通孔（３８）を透設する。この連通孔（３８）を介して、上記の差圧室（３５）を、第２通路（１４）のうちの逆止弁室（２９）から離れた部位に連通する。【選択図】　図３
2004092712.tif 000002
【特許請求の範囲】
【請求項１】
第１通路（１３）と逆止弁室（２９）と第２通路（１４）とを順に形成して、上記の逆止弁室（２９）に逆止弁座（３０）を形成し、
上記の逆止弁室（２９）に逆止部材（３１）を、上記の逆止弁座（３０）に対して進退自在に挿入し、
上記の逆止部材（３１）を付勢手段（３４）で閉弁方向へ付勢して、第１通路（１３）から第２通路（１４）へのガスの流通は許容するが、第２通路（１４）から第１通路（１３）へのガスの流通は阻止するように構成した逆止弁であって、
開弁方向へ移動した上記の逆止部材（３１）を受止める受止め部（３６）を設け、
上記の逆止部材（３１）を挟んで逆止弁座（３０）とは反対側に差圧室（３５）を形成して、この差圧室（３５）の周壁（３３）に連通孔（３８）を透設し、
この連通孔（３８）を介して、上記の差圧室（３５）を、上記の第２通路（１４）のうちの逆止弁室（２９）から離れた部位に連通させたことを特徴とする、逆止弁。
【請求項２】
第１通路（１３）と逆止弁室（２９）と第２通路（１４）とを順に形成して、上記の逆止弁室（２９）に逆止弁座（３０）を形成し、
上記の逆止弁室（２９）の内周面にガイド面（４２）を形成し、
この逆止弁室（２９）に逆止部材（３１）を挿入して、この逆止部材（３１）を、上記の逆止弁座（３０）に対して進退自在に上記のガイド面（４２）で支持し、
上記の逆止部材（３１）を付勢手段（３４）で閉弁方向へ付勢して、第１通路（１３）から第２通路（１４）へのガスの流通は許容するが、第２通路（１４）から第１通路（１３）へのガスの流通は阻止するように構成した逆止弁であって、
開弁方向へ移動した上記の逆止部材（３１）を受止める受止め部（３６）を設け、
上記の逆止部材（３１）を挟んで逆止弁座（３０）とは反対側に差圧室（３５）を形成して、この差圧室（３５）の周壁（３３）に連通孔（３８）を透設し、
上記の逆止弁室（２９）と上記の第２通路（１４）とを、上記のガイド面（４２）と逆止部材（３１）との間の狭い間隙を介して連通させ、この第２通路（１４）を上記の差圧室（３５）に、上記の連通孔（３８）を介して連通させたことを特徴とする、逆止弁。
【請求項３】
上記の逆止部材（３１）の先端面に、上記の逆止弁座（３０）へ接離する弁面（３２）を形成した、請求項１または請求項２に記載の逆止弁。
【発明の詳細な説明】
【０００１】
【発明の属する技術分野】
本発明は、バルブ装置の充填路などに設けられる逆止弁に関し、さらに詳しくは、ガス流通時の逆止部材の振動を抑制して音鳴りの発生を低減した逆止弁に関する。
【０００２】
【従来の技術】
ガス取出し路と充填路とを形成したバルブ装置にあっては、通常、充填路にガス容器の内部空間から充填口への流れを遮断する逆止弁が設けられる。
従来、上記の逆止弁としては、例えば図１１に示すものがある。即ちこの逆止弁（５０）は、ハウジング（５１）に第１通路（５２）と逆止弁室（５３）と第２通路（５４）とを順に形成して、逆止弁室（５３）に開口する第１通路（５２）の開口端に逆止弁座（５５）を形成し、上記の逆止弁室（５３）に逆止部材（５６）を、上記の逆止弁座（５５）に対して進退自在に挿入し、上記の逆止部材（５６）を逆止バネ（５７）で閉弁方向へ付勢して、第１通路（５２）から第２通路（５４）へのガスの流通は許容するが、第２通路（５４）から第１通路（５２）へのガスの流通は阻止するように構成してある。また、上記のハウジング（５１）には開弁方向へ移動した逆止部材（５６）を受止める受止め部（５８）を形成してあり、さらに逆止部材（５６）を挟んで逆止弁座（５５）とは反対側に差圧室（５９）を形成し、この差圧室（５９）を上記の逆止弁室（５３）に連通してある。
【０００３】
【発明が解決しようとする課題】
上記の逆止部材（５６）は、充填ガス圧で第１通路（５２）内が高圧になると、差圧室（５９）内との圧力差により開弁し、第１通路（５２）内と差圧室（５９）内との差圧による開弁力が上記の逆止バネ（５７）の閉弁力よりも小さくなると閉弁する。
このとき、充填過程の初期には、第１通路（５２）内と差圧室（５９）内との差圧による開弁力が大きく、上記の逆止バネ（５７）の閉弁力に抗して逆止部材（５６）が開弁移動し、開き位置（Ｏ）の逆止部材（５６）は上記の受止め部（５８）に受止められ、安定よく支持される。
【０００４】
しかしながら、上記の差圧室（５９）の内圧は逆止弁室（５３）に連通しているため、充填過程の比較的早期のうちに上記の第１通路（５２）内と差圧室（５９）内との差圧が小さくなり、逆止部材（５６）が開き位置（Ｏ）と閉じ位置（Ｓ）との中間位置へ移行する。この中間位置では、逆止部材（５６）が逆止バネ（５７）にのみ支持された不安定な状態となり、充填ガスの流れが乱れていることもあって、この逆止部材（５６）が振動し易く、周囲のガイド面に接離するなどして音鳴りを生ずる問題がある。
【０００５】
このとき、上記の逆止部材（５６）が、閉弁時にその先端を第１通路（５２）内へ突入させて逆止部材（５６）の周面を逆止弁座（５５）に接当させる形式である場合には、確実に閉弁するように上記の逆止バネ（５７）の付勢力を大きく設定する必要があり、上記の逆止部材（５６）は、一層早期に中間位置へ移行し、不安定になり易い。
【０００６】
上記の振動を抑制するため、例えば図１１に示すように、逆止部材（５６）の外周面にＯリング（６０）を装着してガイド面との接離を緩衝させる場合がある。しかしこのＯリング（６０）に微細なゴミなどの異物が溜まると摺動抵抗が増加し、逆止部材（５６）が適正に閉弁作動し難くなる惧れがある。
【０００７】
また、逆止部材（５６）が上記の中間位置にあると、その先端部に付設したシール部材（６１）が高速で流れるガス流中に露出されることとなり、例えば充填ガス中の異物などによりこのシール部材（６１）が早期に損傷する惧れもある。
本発明は上記の問題点を解消し、ガス流通時の逆止部材の振動を抑制して音鳴りの発生を低減した逆止弁を提供することを技術的課題とする。
【０００８】
【課題を解決するための手段】
本発明は上記の課題を解決するため、例えば本発明の実施の形態を示す図１から図１０に基づいて説明すると、逆止弁を次のように構成したものである。
即ち、請求項１に記載の発明は、第１通路（１３）と逆止弁室（２９）と第２通路（１４）とを順に形成して、上記の逆止弁室（２９）に逆止弁座（３０）を形成し、上記の逆止弁室（２９）に逆止部材（３１）を、上記の逆止弁座（３０）に対して進退自在に挿入し、上記の逆止部材（３１）を付勢手段（３４）で閉弁方向へ付勢して、第１通路（１３）から第２通路（１４）へのガスの流通は許容するが、第２通路（１４）から第１通路（１３）へのガスの流通は阻止するように構成した逆止弁であって、
開弁方向へ移動した上記の逆止部材（３１）を受止める受止め部（３６）を設け、上記の逆止部材（３１）を挟んで逆止弁座（３０）とは反対側に差圧室（３５）を形成して、この差圧室（３５）の周壁（３３）に連通孔（３８）を透設し、この連通孔（３８）を介して、上記の差圧室（３５）を、上記の第２通路（１４）のうちの逆止弁室（２９）から離れた部位に連通させたことを特徴とする。
【０００９】
また、請求項２に記載の発明は、第１通路（１３）と逆止弁室（２９）と第２通路（１４）とを順に形成して、上記の逆止弁室（２９）に逆止弁座（３０）を形成し、上記の逆止弁室（２９）の内周面にガイド面（４２）を形成し、この逆止弁室（２９）に逆止部材（３１）を挿入して、この逆止部材（３１）を、上記の逆止弁座（３０）に対して進退自在に上記のガイド面（４２）で支持し、上記の逆止部材（３１）を付勢手段（３４）で閉弁方向へ付勢して、第１通路（１３）から第２通路（１４）へのガスの流通は許容するが、第２通路（１４）から第１通路（１３）へのガスの流通は阻止するように構成した逆止弁であって、
開弁方向へ移動した上記の逆止部材（３１）を受止める受止め部（３６）を設け、上記の逆止部材（３１）を挟んで逆止弁座（３０）とは反対側に差圧室（３５）を形成して、この差圧室（３５）の周壁（３３）に連通孔（３８）を透設し、上記の逆止弁室（２９）と上記の第２通路（１４）とを、上記のガイド面（４２）と逆止部材（３１）との間の狭い間隙を介して連通させ、この第２通路（１４）を上記の差圧室（３５）に、上記の連通孔（３８）を介して連通させたことを特徴とする。
【００１０】
【作用】
請求項１に記載の発明にあっては、差圧室が第２通路の逆止弁室から離れた部位に連通されているため、この差圧室内は、第１通路内や逆止弁室内と比べて低圧となっている。また、請求項２に記載の発明にあっては、ガイド面と逆止部材との間の狭い間隙を介して逆止弁室と第２通路とを連通させ、この第２通路を上記の差圧室に連通させてあるので、上記の差圧室内は第１通路内や逆止弁室内と比べて低圧となっている。
このため、第１通路内と逆止弁室内との差圧が小さくなっても、上記の差圧室と第１通路や逆止弁室内との差圧が大きく保たれるので、上記の逆止部材は、例えば充填過程の終期近くになるまで、上記の受止め部に安定よく支持された開き位置に保持される。
【００１１】
そして、第１通路内と第２通路内の圧力差が少なくなると、この第２通路内の圧力が上記の連通孔を介して上記の差圧室内に作用しているので、上記の差圧室内と第１通路内との差圧による開弁力が小さくなり、上記の付勢手段の閉弁力により逆止部材が逆止弁座側へ移動し、閉弁する。
【００１２】
【発明の実施の形態】
図１から図３は本発明の第１実施形態を示し、図１は逆止弁を備えたバルブ装置の系統図、図２はそのバルブ装置の一部破断面図、図３は逆止弁近傍の拡大断面図である。
【００１３】
図１に示すように、このバルブ装置（１）は、ハウジング（２）に入口路（３）と閉止弁（４）と出口路（５）とを順に形成してあり、上記の入口路（３）は、入口穴（６）を介してガス容器（７）の内部空間（７ａ）に連通してある。また、この入口路（３）にはガス逃し路（８）が接続されており、このガス逃し路（８）に安全弁（９）が設けてある。上記の出口路（５）は、出口穴（１０）を介して図示しないガス使用機器に接続され、上記の閉止弁（４）を開弁することにより、ガス容器（７）内の貯蔵ガスが消費される。
【００１４】
上記の出口穴（１０）は充填口（１１）を兼ねており、上記の出口路（５）と入口路（３）との間に充填路（１２）が、上記の閉止弁（４）と並列に形成してある。なお、上記の充填路（１２）は、図１の仮想線に示すように、上記の入口路（３）に代えてガス容器（７）の内部空間（７ａ）へ直接連通させてもよい。
上記の充填路（１２）は第１通路（１３）と第２通路（１４）とからなり、両通路（１３・１４）間に逆止弁（１５）の弁室が設けてある。この逆止弁（１５）は、出口路（５）側の第１通路（１３）から入口路（３）側の第２通路（１４）へのガスの流通は許容するが、第２通路（１４）から第１通路（１３）へのガスの流通は阻止する。そして、上記のガス容器（７）内へフレッシュガスを充填する際は、上記の出口穴（１０）に図示しない充填装置が接続され、出口路（５）と充填路（１２）と入口路（３）とを順に経てガス容器（７）の内部空間（７ａ）へフレッシュガスが充填される。
【００１５】
次に、上記のバルブ装置の具体的な構造を、図１を参照しながら図２と図３に基づいて説明する。
図２に示すように、このバルブ装置（１）は、ハウジング（２）の下部に脚ネジ部（１６）を備えており、この脚ネジ部（１６）がガス容器（７）の首部（７ｂ）に螺着固定される。この脚ネジ部（１６）の下面にはガス容器（７）の内部空間（７ａ）に臨ませて前記の入口穴（６）が開口してある。一方、ハウジング（２）の側面にはノズル部（１７）が突設してあり、このノズル部（１７）の先端面に前記の出口穴（１０）が開口してある。
【００１６】
ハウジング（２）内には、上記の入口穴（６）と出口穴（１０）との間に、前記の入口路（３）と閉止弁（４）の弁室（１８）と出口路（５）とが順に形成してある。入口路（３）には前記のガス逃し路（８）が分岐してある。
上記の入口路（３）の上端は上記の閉止弁室（１８）に開口してあり、この開口周縁に閉止弁座（１９）が形成されている。
上記の閉止弁室（１８）には閉止部材（２０）が昇降自在に挿入されており、この閉止部材（２０）はスピンドル（２１）と操作ハンドル（２２）により、上記の閉止弁座（１９）に対し開閉操作される。
【００１７】
上記のハウジング（２）には、上記のノズル部（１７）とは異なる側面にボス部（２３）を突設してあり、このボス部（２３）に逆止弁装着孔（２４）が形成してある。この装着孔（２４）には蓋部材（２５）がネジ止めされ、この装着孔（２４）内に逆止弁（１５）が設けてある。
即ち、図２及び図３に示すように、逆止弁（１５）のハウジングの一部を構成する有底筒状のガイド筒（２６）が、上記の装着孔（２４）内にネジ止め固定されている。このガイド筒（２６）の開口部と前記の閉止弁室（１８）との間には前記の第１通路（１３）が形成されている。また、このガイド筒（２６）と上記の蓋部材（２５）との間には連通空間（２７）が形成され、この連通空間（２７）と前記の入口路（３）との間に連通路（２８）が形成してある。
【００１８】
上記のガイド筒（２６）内には逆止弁室（２９）が形成してあり、この逆止弁室（２９）に臨む上記の第１通路（１３）の開口の周囲に逆止弁座（３０）が形成してある。上記の逆止弁室（２９）内には、逆止部材（３１）が上記の逆止弁座（３０）に対し進退自在に挿入してある。この逆止部材（３１）の先端面には、上記の逆止弁座（３０）へ接当する弁面（３２）が形成してあり、この逆止部材（３１）とガイド筒（２６）の底壁（３３）との間に、この逆止部材（３１）を逆止弁座（３０）側へ付勢する逆止バネ（３４）が装着してある。また、上記の底壁（３３）と逆止部材（３１）との間には差圧室（３５）が形成してあり、ガイド筒（２６）の内周面には、開弁方向へ移動した逆止部材（３１）を受止める受止め部（３６）が形成してある。
【００１９】
上記のガイド筒（２６）の周壁には、上記の差圧室（３５）と並列に、上記の逆止弁室（２９）と前記の連通空間（２７）とを連通する小径の連通路（３７）が形成してある。前記の充填路（１２）の一部を構成する第２通路（１４）は、この小径連通路（３７）と上記の連通空間（２７）と前記の連通路（２８）とにより形成される。
上記の差圧室（３５）の周壁のうち、ガイド筒（２６）の底壁（３３）には連通孔（３８）が透設してあり、この連通孔（３８）を介して上記の差圧室（３５）と上記の連通空間（２７）とが連通してある。従って、この差圧室（３５）と前記の逆止弁室（２９）とは、上記の第２通路（１４）のうちの上記の小径連通路（３７）を経たのち、上記の連通孔（３８）を介して連通される。
【００２０】
次に、前記のガス容器内へフレッシュガスを充填する場合の、上記の逆止弁の作動について説明する。
最初に、前記の閉止弁（４）を閉じた状態で、前記のノズル部（１７）にガス充填装置が接続され、フレッシュガスが出口穴（１０）に供給される。これによりフレッシュガスは、出口路（５）から閉止弁室（１８）を経て上記の第１通路（１３）に流入し、そのガス圧で逆止部材（３１）を逆止バネ（３４）の付勢力に抗して開弁し、第２通路（１４）から入口路（３）を経てガス容器（７）の内部空間（７ａ）へ充填される。
【００２１】
このとき、上記の差圧室（３５）は、第２通路（１４）のうち逆止弁室（２９）から離れた連通空間（２７）に連通しており、この差圧室（３５）内は、第１通路（１３）内や逆止弁室（２９）内と比べて低圧になっている。このため、上記の逆止部材（３１）はこの差圧室（３５）と逆止弁室（２９）との差圧により、逆止バネ（３４）の付勢力に抗して開弁側に付勢され、充填過程の終期近くになるまで、図３の上半部に示すように、前記の受止め部（３６）に安定よく支持された開き位置（Ｏ）に保持される。この結果、ガス充填中の逆止部材（３１）の振動が抑制され、音鳴りの発生が低減される。
【００２２】
そして、充填過程の終期になると、上記の第１通路（１３）内と第２通路（１４）内の圧力差が少なくなり、従って、上記の逆止弁室（２９）と第２通路（１４）中の上記の連通空間（２７）との圧力差も小さくなる。上記の差圧室（３５）には、この連通空間（２７）内の圧力が上記の連通孔（３８）を介して作用している。この結果、この差圧室（３５）内と逆止弁室（２９）内との圧力差による開弁力が小さくなり、逆止部材（３１）は、図３の下半部に示すように、上記の逆止バネ（３４）に付勢されて逆止弁座（３０）側の閉じ位置（Ｓ）へ移動し、閉弁する。
【００２３】
上記の逆止部材（３１）は、前記の従来技術のように、その周面に弁面を形成して閉弁時にこの弁面を上記の逆止弁座へ接当するように構成してもよい。しかし、この実施形態では、上記の逆止弁座（３０）へ接当する弁面（３２）を逆止部材（３１）の先端面に形成してあるので、前記の従来技術と異なって、この弁面（３２）を第１通路（１３）内へ押し込む必要がない。このため、上記の逆止バネ（３４）の付勢力を弱く設定でき、一層容易に、充填終期に至るまで逆止部材（３１）を受止め部（３６）に安定良く支持することができる。
また、上記の弁面（３２）が逆止部材（３１）の先端面に形成されることから、この弁面（３２）と前記の逆止弁座（３０）との間を充填ガス流が円滑に流れ易く、例えば充填ガス中の異物などによる弁面（３２）の損傷を低減することができる。
【００２４】
図４と図５は本発明の第２実施形態を示し、図４は逆止弁を備えたバルブ装置の一部破断面図、図５は逆止弁近傍の拡大断面図である。
この実施形態のバルブ装置は、系統図のうちの充填路が図１の仮想線で示すように形成されているが、その他の構成は上記の第１実施形態と同様である。
即ち、図４に示すように、バルブ装置（１）のハウジング（２）には脚ネジ部（１６）の下面に逆止弁（１５）が装着され、この逆止弁（１５）と閉止弁室（１８）との間に充填路（１２）が形成されている。その他のバルブ装置の構成は、上記の第１実施形態と同様であるので、説明を省略する。
【００２５】
図５に示すように、上記の逆止弁（１５）のハウジング部分（２ａ）を構成する有底筒状のガイド筒（２６）は、開口部を上方に向けて脚ネジ部（１６）の下面に螺着固定してある。ガイド筒（２６）の開口部内には逆止弁室（２９）が形成され、上記の充填路（１２）の下端開口はこの逆止弁室（２９）に臨ませてあり、この充填路（１２）が逆止弁（１５）の第１通路（１３）を構成している。
上記の第１通路（１３）の下端開口の周囲には逆止弁座（３０）が形成してあり、逆止弁室（２９）に挿入された逆止部材（３１）が逆止バネ（３４）で逆止弁座（３０）側へ付勢してある。
【００２６】
上記のガイド筒（２６）の底壁（３３）と逆止部材（３１）との間には差圧室（３５）が形成してあり、ガイド筒（２６）の内周面には、開弁方向へ移動した開き位置（Ｏ）の逆止部材（３１）を受止める受止め部（３６）が形成してある。
上記のガイド筒（２６）の周壁には、前記の逆止弁室（２９）とガス容器（７）の内部空間（７ａ）とを連通する第２通路（１４）が形成してある。
上記の差圧室（３５）の周壁のうち、上記のガイド筒（２６）の底壁（３３）には連通孔（３８）が透設してあり、上記の差圧室（３５）は、この連通孔（３８）と上記の内部空間（７ａ）と第２通路（１４）とを順に介して上記の逆止弁室（２９）に連通してある。
【００２７】
上記の差圧室（３５）内には、ガス容器（７）の内部空間（７ａ）の圧力が作用するが、この内部空間（７ａ）は第２通路（１４）を介して逆止弁室（２９）に連通している。このため、逆止弁室（２９）と差圧室（３５）との間には、充填過程の終期に達するまで比較的大きな圧力差を生じるので、この逆止弁（１５）は前記の第１実施形態と同様に作用する。
【００２８】
上記の実施形態ではいずれも充填口を出口穴と兼用したバルブ装置について説明した。しかし本発明は出口穴と別に充填口を設けたバルブ装置にも適用することができる。
即ち、図６から図８はこの場合の第３実施形態を示し、図６は逆止弁を備えたバルブ装置の系統図、図７はそのバルブ装置の一部破断面図、図８は逆止弁近傍の拡大断面図である。
【００２９】
図６に示すように、このバルブ装置（１）のハウジング（２）には、前記の第１実施形態と異なって、充填口（１１）が上記の出口穴（１０）とは別に設けてあり、この充填口（１１）と上記の入口路（３）との間に充填路（１２）が形成してある。なお、この充填路（１２）は上記の入口路（３）に代えてガス容器（７）の内部空間（７ａ）へ直接連通させてもよい。さらに、前記の出口路（５）に流量調整弁を設けた場合などは、この流量調整弁と前記の閉止弁（４）との間の出口路（５）と、上記の充填口（１１）との間に充填路（１２）を形成してもよい。
上記の充填路（１２）は、充填口（１１）側の第１通路（１３）と入口路（３）側の第２通路（１４）とからなり、両通路（１３・１４）間に逆止弁（１５）の弁室が設けてある。その他の構成は前記の第１実施形態と同様であるので、説明を省略する。
【００３０】
次に、上記のバルブ装置の具体的な構造を、図６を参照しながら図７と図８に基づいて説明する。
図７に示すように、このバルブ装置（１）は、前記の第１実施形態と同様、脚ネジ部（１６）の下面に入口穴（６）が開口してある。また、ハウジング（２）の側面に突設したノズル部（１７）に出口穴（１０）を開口してあり、前記の入口穴（６）とこの出口穴（１０）との間に、入口路（３）と閉止弁（４）の弁室（１８）と出口路（５）とが順に形成してある。
【００３１】
上記のハウジング（２）の側面には前記のノズル部（１７）とは異なる側面にボス部（２３）を突設して、このボス部（２３）に逆止弁装着孔（２４）が形成してある。この装着孔（２４）には、筒部材（３９）とこれに螺着固定したガイド筒（２６）がネジ止めされ、この筒部材（３９）とガイド筒（２６）とが逆止弁（１５）のハウジング部分（２ａ）を構成している。上記の装着孔（２４）の開口に充填口（１１）が形成され、この充填口（１１）と前記の入口路（３）との間に、上記のガイド筒（２６）内を通過する充填路（１２）が形成されている。
【００３２】
上記の筒部材（３９）内には、前記のガイド筒（２６）の開口部と上記の充填口（１１）との間に第１通路（１３）が形成されている。また、ガイド筒（２６）と上記の入口路（３）との間には連通路（２８）が形成してある。
【００３３】
図７と図８に示すように、上記のガイド筒（２６）内には、前記の第１実施形態と同様、逆止弁室（２９）が形成してあり、この逆止弁室（２９）に臨む上記の第１通路（１３）の開口の周囲に逆止弁座（３０）が形成され、逆止弁室（２９）内には、逆止部材（３１）が上記の逆止弁座（３０）に対し進退自在に挿入してある。上記のガイド筒（２６）の底壁（３３）と上記の逆止部材（３１）との間には差圧室（３５）が形成してある。
【００３４】
上記のガイド筒（２６）の周壁には、上記の差圧室（３５）と並列に、前記の逆止弁室（２９）と連通路（２８）とを連通する小径の連通路（３７）が形成してある。前記の充填路（１２）の一部を構成する第２通路（１４）は、この小径連通路（３７）と上記の連通路（２８）とにより形成される。上記の差圧室（３５）の周壁のうち、上記のガイド筒（２６）の底壁（３３）には連通孔（３８）が透設してあり、この連通孔（３８）を介して上記の差圧室（３５）と上記の連通路（２８）とが連通してある。従って、この差圧室（３５）と前記の逆止弁室（２９）とは、前記の第１実施形態と同様、上記の第２通路（１４）のうちの上記の小径連通路（３７）を経たのち、上記の連通孔（３８）を介して連通される。
その他の構成は前記の第１実施形態と同様であり、同様に作用するので説明を省略する。
【００３５】
上記の逆止弁室（２９）は、例えば図９に示す変形例のように、ガイド筒（２６）の内面に形成した環状凹部（４０）で構成してもよい。この場合は、この環状凹部（４０）からガイド筒（２６）の端面まで前記の小径連通路（３７）を直線状に加工すればよく、容易に形成することができる。
【００３６】
図１０は本発明の第４実施形態を示し、上半部は閉弁状態の、下半部は開弁状態の、逆止弁の拡大断面図である。
この第４実施形態では、バルブ装置のハウジング（２）の外面のうち、出口穴とは異なる位置に充填ノズル部（４１）を設けて、この充填ノズル部（４１）に逆止弁装着孔（２４）を形成し、この装着孔（２４）に逆止弁（１５）のハウジング部分（２ａ）を構成する筒部材（３９）とこれに螺着固定したガイド筒（２６）がネジ止めされている。
【００３７】
上記の筒部材（３９）内には、上記の第３実施形態と同様、前記のガイド筒（２６）の開口部と充填ノズル部（４１）の先端に開口した充填口（１１）との間に第１通路（１３）が形成されている。また、ガイド筒（２６）と図外の入口路との間に連通路（２８）が形成してある。さらに、上記のガイド筒（２６）内には逆止弁室（２９）が形成してあり、この逆止弁室（２９）に臨む上記の第１通路（１３）の開口の周囲に逆止弁座（３０）が形成してある。
【００３８】
上記の逆止弁室（２９）の内周面にはガイド面（４２）が形成され、この逆止弁室（２９）に挿入した逆止部材（３１）を、上記の逆止弁座（３０）に対して進退自在に上記のガイド面（４２）で支持してある。そして、上記のガイド筒（２６）の底壁（３３）と上記の逆止部材（３１）との間に差圧室（３５）が形成してある。
【００３９】
上記の差圧室（３５）の周囲には環状凹部（４０）が形成してあり、この環状凹部（４０）と上記の逆止弁室（２９）とは、ガイド面（４２）と逆止部材（３１）との間の狭い間隙を介して連通してある。また、上記の環状凹部（４０）と前記の連通路（２８）との間には小径の連通路（３７）が形成してあり、この小径連通路（３７）と上記の連通路（２８）とにより第２通路（１４）が構成される。上記の差圧室（３５）の周壁のうち、上記のガイド筒（２６）の底壁（３３）には連通孔（３８）が透設してあり、この連通孔（３８）を介して上記の第２通路（１４）の一部である連通路（２８）と上記の差圧室（３５）とが連通している。従って、上記の逆止弁室（２９）と上記の差圧室（３５）とは、上記のガイド面（４２）と逆止部材（３１）との間の狭い間隙と、上記の環状凹部（４０）と、上記の第２通路（１４）と、上記の連通孔（３８）とを順に介して連通している。
【００４０】
上記の逆止弁は次のように作動する。
充填ノズル（４１）にガス充填装置が接続され、フレッシュガスが充填口（１１）から上記の第１通路（１３）に流入すると、その充填ガス圧により逆止部材（３１）が逆止バネ（３４）の付勢力に抗して開弁移動する。これにより、フレッシュガスは上記のガイド面（４２）と逆止部材（３１）との間の狭い間隙と、上記の環状凹部（４０）と、上記の第２通路（１４）とを順に経て図外のガス容器内へ案内される。
【００４１】
このとき、上記の差圧室（３５）は、上記のガイド面（４２）と逆止部材（３１）との間の狭い間隙を介して逆止弁室（２９）に連通していることから、この差圧室（３５）内は第１通路（１３）内や逆止弁室（２９）内と比べて低圧になっている。このため、上記の逆止部材（３１）はこの差圧室（３５）と逆止弁室（２９）との差圧により、逆止バネ（３４）の付勢力に抗して開弁側に付勢され、充填過程の終期近くになるまで、図１０の下半部に示すように受止め部（３６）に安定よく支持された開き位置（Ｏ）に保持される。この結果、ガス充填中の逆止部材（３１）の振動が抑制され、音鳴りの発生が低減される。
【００４２】
充填過程の終期になると、上記の第１通路（１３）内と第２通路（１４）内の圧力差が少なくなり、従って、この第２通路（１４）内の圧力が作用する差圧室（３５）と上記の逆止弁室（２９）との圧力差も小さくなる。このため、この圧力差による開弁力が小さくなり、上記の逆止バネ（３４）の閉弁力により、図１０の上半部に示すように逆止部材（３１）が逆止弁座（３０）側の閉じ位置（Ｓ）へ移動し、閉弁する。
【００４３】
その他の構成は前記の第３実施形態と同様であり、同様に作用するので説明を省略する。
なお、この第４実施形態では、上記の第３実施形態と同様、出口穴とは別に充填口を形成したバルブ装置に適用する場合について説明したが、この第４実施形態のものを、前記の第１実施形態のように、出口穴と充填口とを兼用する場合のバルブ装置に適用することも可能である。
【００４４】
また、上記の第１通路や第２通路、逆止部材、付勢手段、ハウジングなど、本発明の逆止弁の具体的な構造は、上記の各実施形態で説明した構造のものに限定されず、さらに本発明の逆止弁は、充填路以外の流路に設けてもよいことは言うまでもない。
【００４５】
【発明の効果】
本発明は上記のように構成され作用することから、次の効果を奏する。
【００４６】
（１）　例えば充填過程において、第１通路内と逆止弁室内との差圧が早期に小さくなっても、上記の差圧室と第１通路や逆止弁室内との差圧は、充填過程の終期近くになるまで大きく保たれるので、上記の逆止部材は、上記の受止め部に安定よく支持された開き位置に保持される。この結果、ガス流通時の逆止部材の振動が抑制され、音鳴りの発生を低減することができる。
【００４７】
（２）　また、逆止部材が、開き位置と閉じ位置の中間に位置することが少ないので、逆止部材の弁面が高速で流れるガス流中に露出されることが低減され、弁面やシール部材等の損傷を防止することができる。
【００４８】
（３）　上記の逆止部材の先端面に、上記の逆止弁座へ接当する弁面を形成した場合には、付勢手段の付勢力を小さく設定できるので、逆止部材を一層良好に上記の受止め部へ安定良く支持できるうえ、開弁時にガス流がこの弁面に沿って円滑に流れ易いことから、例えばガス中の異物などによる弁面の損傷を低減することができる。
【図面の簡単な説明】
【図１】本発明の第１実施形態を示す、逆止弁を備えたバルブ装置の系統図である。
【図２】第１実施形態の、逆止弁を備えたバルブ装置の一部破断面図である。
【図３】第１実施形態を示し、上半部は開弁状態の、下半部は閉弁状態の、逆止弁近傍の拡大断面図である。
【図４】本発明の第２実施形態を示す、逆止弁を備えたバルブ装置の一部破断面図である。
【図５】第２実施形態を示し、左半部は閉弁状態の、右半部は開弁状態の、逆止弁近傍の拡大断面図である。
【図６】本発明の第３実施形態を示す、逆止弁を備えたバルブ装置の系統図である。
【図７】第３実施形態の、逆止弁を備えたバルブ装置の一部破断面図である。
【図８】第３実施形態を示し、上半部は開弁状態の、下半部は閉弁状態の、逆止弁近傍の拡大断面図である。
【図９】第３実施形態の変形例を示し、上半部は閉弁状態の、下半部は開弁状態の、逆止弁の断面図である。
【図１０】本発明の第４実施形態を示し、上半部は閉弁状態の、下半部は開弁状態の、逆止弁の断面図である。
【図１１】従来技術を示し、上半部は閉弁状態の、下半部は開弁状態の、逆止弁の断面図である。
【符号の説明】
１３…第１通路
１４…第２通路
１５…逆止弁
２９…逆止弁室
３０…逆止弁座
３１…逆止部材
３２…弁面
３３…差圧室の周壁（ガイド筒の底壁）
３４…付勢手段（逆止バネ）
３５…差圧室
３６…受止め部
３８…連通孔
４２…ガイド面
【図１】
2004092712.tif 000003
【図２】
2004092712.tif 000004
【図３】
2004092712.tif 000005
【図４】
2004092712.tif 000006
【図５】
2004092712.tif 000007
【図６】
2004092712.tif 000008
【図７】
2004092712.tif 000009
【図８】
2004092712.tif 000010
【図９】
2004092712.tif 000011
【図１０】
2004092712.tif 000012
【図１１】
2004092712.tif 000013